(57)【特許請求の範囲】
【請求項１】
画像形成装置に対して回動可能に設けられ、画像形成に係わる指示の入力を行うための操作パネルと、
前記操作パネルの回動位置を検出する回動位置検出手段と、
前記操作パネルの複数の回動位置のそれぞれに対応させて、前記操作パネルに表示すべき、前記画像形成に係わる指示の入力を行うための設定画面を登録する登録手段と、
前記登録手段により登録された少なくとも２つの設定画面のうち、前記回動位置検出手段により検出された前記操作パネルの回動位置に対応する設定画面を前記操作パネルに表示させる制御手段と、
前記操作パネルの回動位置に対応した設定画面が表示された前記操作パネルに入力された指示に基づき画像形成を行う画像形成手段とを備えることを特徴とする画像形成装置。
【請求項２】
前記制御手段は、前記回動位置検出手段により前記複数の回動位置のいずれかが検出された場合は、前記操作パネルに表示されている画面を前記登録手段により登録された設定画面に切り替えることを特徴とする請求項１記載の画像形成装置。
【請求項３】
前記制御手段は、前記操作パネルが前記複数の回動位置のいずれかに回動されたことを前記回動位置検出手段により検出した場合、前記操作パネルが回動される以前に前記操作パネルに表示されていた画面における入力をクリアした後、前記操作パネルに表示されている画面を前記登録手段により登録された設定画面に切り替えることを特徴とする請求項２記載の画像形成装置。
【請求項４】
前記制御手段は、前記操作パネルが前記複数の回動位置のいずれかに位置することが前記回動位置検出手段により検出できなかった場合、前記操作パネルの表示を消灯することを特徴とする請求項２記載の画像形成装置。
【請求項５】
前記制御手段は、前記操作パネルが前記複数の回動位置のいずれかに位置することが前記回動位置検出手段により検出できなかった場合、前記操作パネルでの入力を禁止することを特徴とする請求項２記載の画像形成装置。
【請求項６】
前記登録手段は、前記操作パネルに表示させる設定画面を、複数の設定画面の中から選択させることを特徴とする請求項１乃至５のいずれか１項に記載の画像形成装置。 
【発明の詳細な説明】
【技術分野】
【０００１】
本発明は、複写機、プリンタ等の画像形成装置に関し、特に、画像処理に関する操作入力や処理状況の表示を行う操作部を備える画像形成装置に関する。
【背景技術】
【０００２】
近年、複写機やファクシミリ、プリンタ等のＯＡ機器は、デジタル技術やネットワーク技術の進歩によりマルチファンクション化が進み、電子情報や紙情報を扱う情報ターミナル機器としてオフィス等で使用されている。このような情報ターミナル機器をオフィスに設置する際には、例えばオフィススペースの中央に設置できるような設置性（設置環境の自由度）に対するニーズが高まってきている。そこで、操作部を回動可能な構成とし、画像形成装置を複数方向から使用可能にする技術が提案されている（例えば、特許文献１参照）。
【特許文献１】特開２００１−３０５８１４号公報
【発明の開示】
【発明が解決しようとする課題】
【０００３】
しかしながら、単に複数方向から使用可能にしただけでは、情報ターミナル機器に求められる設置性が十分に向上したとは云えず、より操作性を向上させる必要がある。例えば、装置正面と装置背面からの操作が可能な画像形成装置の場合、以下のような問題点がある。
【０００４】
操作者が装置正面から動作させた後、他の操作者が操作部を回転させて装置背面から動作させた場合、正面側の操作者が行った装置動作設定がそのままになっていることに気づかずに、背面側の操作者が意図しない装置動作を指示してしまうことがある。
【０００５】
また、装置の正面側又は背面側の各操作者が使用する各種ファンクション（コピーやファックス送信等）の頻度や傾向が異なる場合、操作者が操作部を回転する毎に操作画面を各種ファンクション画面にそれぞれ変更しなければならないという煩わしさがある。
【０００６】
そこで、本発明は、上記問題に鑑みて成されたものであり、画像形成装置の設置性（設置環境の自由度）及び操作性を向上させることができる画像形成装置を提供することを目的とする。
【課題を解決するための手段】
【０００７】
上記目的を達成するために、請求項１記載の画像形成装置は、画像形成装置に対して回動可能に設けられ、画像形成に係わる指示の入力を行うための操作パネルと、前記操作パネルの回動位置を検出する回動位置検出手段と、前記操作パネルの複数の回動位置のそれぞれに対応させて、前記操作パネルに表示すべき、前記画像形成に係わる指示の入力を行うための設定画面を登録する登録手段と、前記登録手段により登録された少なくとも２つの設定画面のうち、前記回動位置検出手段により検出された前記操作パネルの回動位置に対応する設定画面を前記操作パネルに表示させる制御手段と、前記操作パネルの回動位置に対応した設定画面が表示された前記操作パネルに入力された指示に基づき画像形成を行う画像形成手段とを備えることを特徴とする。
【発明の効果】
【０００９】
本発明によれば、操作パネルの複数の回動位置のそれぞれに対応させて登録されている設定画面のうち、検出された操作パネルの回動位置に対応する設定画面が操作パネルに表示されるので、異なる位置から画像形成装置を操作する操作者それぞれに適した設定画面を提供することができ、画像形成装置の操作性を向上させることができる。
【発明を実施するための最良の形態】
【００１０】
以下、本発明の実施の形態を図面を参照して詳細に説明する。
【００１１】
図１は、本発明の実施形態に係る画像形成装置の概略構成を示す縦断面図である。本画像形成装置はカラー画像形成装置であり、カラーリーダ部１、カラープリンタ部２で構成される。
【００１２】
まず、カラーリーダ部１の構成について説明する。
【００１３】
カラーリーダ部１には、原稿台ガラス（プラテン）１０１、自動原稿給紙装置（ＡＤＦ）１０２が備わる。なお、この自動原稿給紙装置１０２に代えて鏡面圧板若しくは白色圧板（図示せず）を装着する構成でもよい。
【００１４】
また、カラーリーダ部１には、原稿台ガラス１０１上に載置された原稿を照明するための光源であって、ハロゲンランプ、蛍光灯、キセノン管ランプなどから成る光源１０３，１０４が備わる。また、光源１０３，１０４からの光を原稿に集光させる反射傘１０５，１０６が備わる。
【００１５】
また、カラーリーダ部１には、原稿からの反射光又は投影光をＣＣＤ（電荷結合素子）イメージセンサ（以下、「ＣＣＤ」という）１１１に導くためのミラー１０７〜１０９が備わる。ミラー１０７〜１０９により導かれた光は、レンズ１１０によりＣＣＤ１１１上に集光される。
【００１６】
キャリッジ１１４には、光源１０３，１０４、反射傘１０５，１０６、及びミラー１０７が収容される。キャリッジ１１５には、ミラー１０８，１０９が収容される。そして、キャリッジ１１４が速度Ｖで、キャリッジ１１５が速度Ｖ／２で、ＣＣＤ１１１の電気的走査方向（主走査方向Ｘ）に対して直交する副走査方向Ｙに機械的に移動することにより、原稿台ガラス１０１上の原稿の全面が走査される。
【００１７】
基板１１２はＣＣＤ１１１が実装されている基板である。リーダースキャナ制御部１１３は、基板１１２及び制御部１００に接続され、画像読取等の制御を行う。制御部１００に接続された外部インターフェイス（Ｉ／Ｆ）１１６は、他のデバイスとの接続を制御する。
【００１８】
制御部１００は、リーダースキャナ制御部１１３、外部Ｉ／Ｆ１１６、及びプリンタ制御部２５０との制御情報をやり取りするためのＩ／Ｆを持つＣＰＵや、当該制御情報等を記憶するＲＡＭ、ＲＯＭ等によって構成され、画像形成装置全体を制御する。
【００１９】
操作部(操作パネル)７００は、カラーリーダ部１の側面から伸びたＬ字形のアーム（支持部）上に配置され、当該アームを中心として画像形成装置の略水平方向に３６０度回動可能に構成されている。操作部７００の向きを変えることで画像形成装置の正面からだけでなく背面からの操作も可能になっている。
【００２０】
画像形成に係わる表示及び指示の入力を行うための操作部７００は、タッチパネル付き液晶表示部とキー入力部を備える。タッチパネル付き液晶表示部は、画像形成装置で実行されるコピーやファックス送信、印刷等の各種処理に関する情報や警告等を表示する共に、当該処理を画像形成装置に実行させるための指示の入力を受け付ける。キー入力部は、各種処理の開始や停止等のキー入力を受け付ける。
【００２１】
次に、カラープリンタ部２の構成について説明する。
【００２２】
カラープリンタ部２には、制御部１００内のＣＰＵから制御信号を受けるプリンタ制御部２５０が備わる。制御部１００は、カラーリーダ部１に対して画像読み取り制御を実施することで、原稿等から読み取った画像データを一旦制御部１００内のメモリに格納する。そして、プリンタ制御部２５０からの基準タイミングに従い、該メモリ内の画像データをビデオクロック信号に同期させて画像データ信号としてプリンタ制御部２５０に送信する。
【００２３】
トナー像形成部１２０は、イエロー色の画像を形成するトナー像形成部１Ｙと、マゼンタ色の画像を形成するトナー像形成部１Ｍと、シアン色の画像を形成するトナー像形成部１Ｃと、ブラック色の画像を形成するトナー像形成部１Ｂｋを備える。これら４つのトナー像形成部１Ｙ，１Ｍ，１Ｃ，１Ｂｋは一定の間隔をおいて一列に配置されている。
【００２４】
各トナー像形成部１Ｙ，１Ｍ，１Ｃ，１Ｂｋには、それぞれ像担持体としてのドラム型の電子写真感光体（以下、「感光ドラム」という）２ａ，２ｂ，２ｃ，２ｄが配置されている。感光ドラム２ａ〜２ｄの周囲には、一次帯電器３ａ，３ｂ，３ｃ，３ｄ、現像装置４ａ，４ｂ，４ｃ，４ｄ、転写ローラ５ａ，５ｂ，５ｃ，５ｄ、及びドラムクリーナ装置６ａ，６ｂ，６ｃ，６ｄが配置されている。
【００２５】
各感光ドラム２ａ〜２ｄは、負帯電のＯＰＣ感光体で、アルミニウム製のドラム基体上に光導電層を有しており、駆動装置（不図示）によって矢印方向（図１における反時計回り方向）に所定のプロセススピードで回転駆動される。
【００２６】
一次帯電器３ａ〜３ｄは、一次帯電手段として、帯電バイアス電源（不図示）から印加される帯電バイアスによって各感光ドラム２ａ〜２ｄの表面を負極性の所定電位に均一に帯電する。
【００２７】
現像装置４ａ〜４ｄは、各感光ドラム２ａ〜２ｄ上に形成される各静電潜像に各色のトナーを付着させてトナー像として現像（可視像化）する。現像装置４ａにはイエロートナーが、現像装置４ｂにはシアントナーが、現像装置４ｃにはマゼンタトナーが、現像装置４ｄにはブラックトナーが収納されている。
【００２８】
転写ローラ５ａ〜５ｄは、一次転写手段として、各一次転写部３２ａ〜３２ｄにて中間転写ベルト８を介して各感光ドラム２ａ〜２ｄに当接可能に配置されている。
【００２９】
ドラムクリーナ装置６ａ〜６ｄは、一次転写時に残留した転写残トナーを感光ドラム２ａ〜２ｄから除去するためのクリーニングブレード等をそれぞれ有する。
【００３０】
無端状の中間転写ベルト８は、ポリカーボネート、ポリエチレンテレフタレート樹脂フィルム、ポリフッ化ビニリデン樹脂フィルム等の誘電体樹脂から成る。中間転写ベルト８は、当該中間転写ベルト８に駆動力を付与する二次転写対向ローラ１０と、当該中間転写ベルト８に張力を付与するテンションローラ１１との間に張架されている。二次転写対向ローラ１０と対向する位置に中間転写ベルト８を挟んだ状態で二次転写ローラ２０６が配置されている。
【００３１】
また、中間転写ベルト８は、感光ドラム２ａ〜２ｄと当該感光ドラム２ａ〜２ｄに対向する位置に配置された転写ローラ５ａ〜５ｄとの間の一次転写部３２ａ，３２ｂ，３２ｃ，３２ｄを移動するように構成される。中間転写ベルト８、テンションローラ１１、二次転写対向ローラ１０、感光ドラム２ａ〜２ｄ、転写ローラ５ａ〜５ｄ、及び二次転写ローラ２０６は、二次転写ローラ２０６側が下方となるように傾斜配置されている。この傾斜角度は約１５°に設定されている。
【００３２】
テンションローラ１１の近傍には、中間転写ベルト８の表面に残った転写残トナーを除去して回収するためのベルトクリーニング装置１３が配置されている。二次転写対向ローラ１０と二次転写ローラ２０６との間を記録紙が搬送され、当該記録紙の搬送方向の下流側には、定着ローラと加圧ローラを有する定着装置２０７が配置されている。
【００３３】
現像装置４ａ〜４ｄの下方にはレーザ露光装置７が配置されている。レーザ露光装置７は、与えられた画像情報の時系列電気デジタル画素信号に対応した発光を行うレーザ発光部と、ポリゴンレンズと、ポリゴンミラーと、該ポリゴンミラーを回転駆動するポリゴンモータとを備える。レーザ露光装置７が各感光ドラム２ａ〜２ｄを露光することによって、各一次帯電器３ａ〜３ｄにより帯電された各感光ドラム２ａ〜２ｄの表面に該画像情報に応じた各色の静電潜像が形成される。なお、レーザ露光装置７内のレーザ発光部は、レーザの出力電流が切り替えられることにより、レーザパワーを１５段階に変更可能である。
【００３４】
次に、図１の画像形成装置における画像形成動作について説明する。
【００３５】
画像形成開始信号が発せられると、所定のプロセススピードで感光ドラム２ａ〜２ｄが回転駆動される。そして、各感光ドラム２ａ〜２ｄは、各一次帯電器３ａ〜３ｄによって一様に負極性に帯電される。
【００３６】
次に、レーザ露光装置７は、与えられた画像情報に基づくレーザ光をポリゴンレンズ、ポリゴンミラー等を経由して各感光ドラム２ａ〜２ｄに照射し、各感光ドラム２ａ〜２ｄ上に各色の静電潜像を形成する。
【００３７】
感光ドラム２ａ上に形成された静電潜像に、感光ドラム２ａの帯電極性（負極性）と同極性の現像バイアスが印加された現像装置４ａによりイエローのトナーを付着させ、静電潜像をトナー像として可視像化する。このイエローのトナー像は、感光ドラム２ａと転写ローラ５ａとの間の一次転写部３２ａにて、一次転写バイアス（トナーと逆極性（正極性））が印加された転写ローラ５ａにより、回転駆動されている中間転写ベルト８上に一次転写される。
【００３８】
中間転写ベルト８上のイエローのトナー像が転写された部分がトナー像形成部１Ｙ側からトナー像形成部１Ｍ側に移動する。すると、トナー像形成部１Ｍにおいても、同様にして、感光ドラム２ｂ上に形成されたマゼンタのトナー像が、中間転写ベルト８上のイエローのトナー像上に重ね合わされて一次転写部３２ｂにて転写される。このとき、各感光ドラム２ａ，２ｂ上に残留した転写残トナーは、ドラムクリーナ装置６ａ，６ｂに設けられたクリーナブレード等により掻き落とされ、回収される。
【００３９】
同様に、中間転写ベルト８上に重畳転写されたイエロー、マゼンタのトナー像上にトナー像形成部１Ｃ，１Ｂｋの感光ドラム２ｃ，２ｄ上で形成されたシアン、ブラックのトナー像が各一次転写部３２ｃ，３２ｄにて順次重ね合わされる。そして、フルカラーのトナー像が中間転写ベルト８上に形成される。
【００４０】
上段カセット２０８、下段カセット２０９、３段目カセット２１０、４段目カセット２１１には、それぞれ記録紙を格納することができる。各カセットに格納された記録紙は、ピックアップローラ２１２，２１３，２１４，２１５によりピックアップされ、給紙ローラ２１６，２１７，２１８，２１９により搬送路上を搬送される。給紙された記録紙は、縦パス搬送ローラ２２２，２２３，２２４，２２５によりレジストローラ２２１まで搬送される。一方、手差し給紙の場合には、手差しトレイ２４０に積載された記録紙が、手差し給紙ローラ２２０によりレジストローラ２２１まで搬送される。
【００４１】
レジストローラ２２１に搬送された記録紙は、中間転写ベルト８への一次転写が終了するタイミングで、中間転写ベルト８と二次転写ローラ２０６との間に搬送される。その後、記録紙は二次転写ローラ２０６と中間転写ベルト８とに挟まれる形で定着装置方向へ搬送されると共に、中間転写ベルト８に圧着され、中間転写ベルト８上のトナー像が記録紙に二次転写される。記録紙に転写されたトナー像は、定着装置２０７内の定着ローラ及び加圧ローラにより加熱及び加圧されて記録紙に定着される。
【００４２】
画像が定着された記録紙は、第１排紙の場合には、第１排紙フラッパ２３７が第１排紙ローラ方向に切り替えられて、排紙ローラ２３３を目指して排紙される。第２排紙の場合には、第１排紙フラッパ２３７及び第２排紙フラッパ２３８が第２排紙ローラ方向に切り替えられて、排紙ローラ２３４を目指して排紙される。第３排紙の場合には、一旦反転ローラ２３５で反転動作を行うために、第１排紙フラッパ及び第２排紙フラッパが反転ローラ２３５方向に切り替えられて、反転ローラ２３５で反転させる。そして、反転ローラ２３５で反転された後、第３排紙フラッパが第３排紙方向に切り替えられて、第３排紙ローラ２３６を目指して排紙される。
【００４３】
両面排紙の場合には、第３排紙の場合と同様に、一旦反転ローラ部２３５で反転動作が行われ、第３排紙フラッパを両面ユニット方向に切り替えて、両面ユニットに搬送される。両面センサ（不図示）により記録紙が検出されてから所定時間後に記録紙を一旦停止し、再度画像形成準備が整い次第再給紙され、２面目の画像が形成される。
【００４４】
図２は、画像形成装置内の制御部１００の概略構成を示すブロック図である。
【００４５】
図２において、ＣＰＵ１７１は画像形成装置全体の基本的な制御を行う。ＣＰＵ１７１は、制御プログラムが格納されたＲＯＭ１７４、データ等を一時的に格納するＲＡＭ１７５、及び入出力ポート（Ｉ／Ο）１７３に、アドレスバス、データバス等を介して接続されている。
【００４６】
ＲＡＭ１７５は、大容量のメモリ（例えば、ハードディスク等）によって構成される。入出力ポート１７３には、画像形成装置を制御するためのモータ、クラッチ等の各種負荷（不図示）や、記録紙の位置を検知するセンサ（不図示）等が接続されている。
【００４７】
ＣＰＵ１７１は、ＲＯＭ１７４に格納されている制御プログラムを実行し、入出力ポート１７３を介して入出力の制御を順次行い、画像形成動作を制御する。
【００４８】
また、ＣＰＵ１７１には操作部７００が接続されており、操作部７００上のタッチパネル付き液晶表示部及びキー入力部からの指示入力に応じてＣＰＵ１７１が各種制御を行う。操作者はキー入力部７０２を介して画像形成動作モードや表示の切り替えをＣＰＵ１７１に指示することができる。また、ＣＰＵ１７１は、画像形成装置の状態を操作部７００に表示したり、キー入力による動作モードの設定を行う。
【００４９】
ＣＰＵ１７１には、外部Ｉ／Ｆ処理部４００、画像メモリ部３００、及び画像形成部２００が接続されている。外部Ｉ／Ｆ処理部４００は、ＰＣ（Personal Computer）などの外部機器から画像データを受信したり、外部機器に処理データを送信したりする。画像メモリ部３００は、画像データを伸張処理や蓄積処理などを行う。画像形成部２００は、画像メモリ部３００から転送された画像データをレーザ露光装置７に露光させるべく処理を行う。
【００５０】
次に、画像メモリ部３００の詳細を図３を参照して説明する。
【００５１】
図３は、制御部１００内の画像メモリ部３００の概略構成を示すブロック図である。
【００５２】
画像メモリ部３００では、ＤＲＡＭ等で構成されたページメモリ３０１に、メモリコントローラ部３０２を介して外部Ｉ／Ｆ処理部４００から受け取った画像データが書き込まれ、画像形成部２００への画像読み出し等の画像の入出力のアクセスが行われる。
【００５３】
メモリコントローラ部３０２は、外部Ｉ／Ｆ処理部４００から受け取った画像データが圧縮データであるか否かの判断を行う。そして、画像データが圧縮データであると判断した場合、圧縮データ伸張部３０３を用いて伸張処理を行った後、メモリコントローラ部３０２を介してページメモリ３０１への画像データの書き込み処理を行う。
【００５４】
メモリコントローラ部３０２は、ページメモリ３０１へ送るＤＲＡＭリフレッシュ信号の生成を行う。また、画像Ｉ／Ｆ処理部４００からの書き込み、画像形成部２００への読み出しに対するページメモリ３０１へのアクセスの調停を行う。また、ＣＰＵ１７１の指示に従い、ページメモリ３０１への書き込みアドレス、ページメモリ３０１からの読み出しアドレス、読み出し方向などの制御をする。
【００５５】
次に、外部Ｉ／Ｆ処理部４００の詳細を図４を参照して説明する。
【００５６】
図４は、制御部１００内の外部Ｉ／Ｆ処理部４００の概略構成を示すブロック図である。
【００５７】
外部Ｉ／Ｆ処理部４００は、コンピュータ（ＰＣ）やワークステーション（ＷＳ）などから成る外部装置（外部ＰＣ／ＷＳ）５００に接続されている。外部Ｉ／Ｆ処理部４００は、外部装置５００から送信された画像データ及びプリントコマンドデータをＵＳＢ  Ｉ／Ｆ部４０１、セントロＩ／Ｆ部４０２、ネットワークＩ／Ｆ部４０３のいずれかを介して受信する。また、外部Ｉ／Ｆ処理部４００は、画像形成装置の状態情報などを外部装置５００に対して送信する。
【００５８】
外部装置５００から受信したプリントコマンドデータはＣＰＵ１７１にて処理される。ＣＰＵ１７１は画像形成部２００や入出力ポート１７３などを利用してプリント動作を実行するための設定やタイミングを生成する。
【００５９】
一方、外部装置５００から受信した画像データは、プリントコマンドデータに基づくタイミングに応じて画像メモリ部３００に送信され、画像形成部２００にて画像形成されるべく処理される。
【００６０】
次に、操作部７００の詳細を図５を参照して説明する。
【００６１】
図５（ａ）は画像形成装置上の操作部７００周辺の外観図、図５（ｂ）は操作部７００内の回動軸周辺の概略構成図である。
【００６２】
図５（ａ）において、操作部７００は、カラーリーダ部１の側面から伸びたＬ字形のアーム７００ａ上に配置されており、回動軸Ａを中心に画像形成装置の略水平方向（矢印方向）に回動自在に構成されている。操作者は、操作部７００の向きを変えることで、画像形成装置の正面からだけでなく背面からの操作も可能となる。
【００６３】
アーム７００ａ内には、図５（ｂ）に示すように、回動軸Ａを中心にして操作部７００を回動自在に支持する支持部材７２０と、当該支持部材７２０を両側から挟むようにセンサ７１０，７１１（回動位置検出手段）とが配置されている。
【００６４】
２つのセンサ７１０，７１１間にある支持部材７２０上には１つの突起７２０ａが設けられている。ＣＰＵ１７１は、入出力ポート１７３を介してセンサ７１０，７１１に接続されている。センサ７１０，７１１は、支持部材７２０が回動軸Ａを中心に回動することで突起７２０ａを検出したときにＯＮする。ＣＰＵ１７１は、センサ７１０（正面センサ）が突起７２０ａを検出することにより操作部７００が画像形成装置の正面位置に回動していると判断する。一方、ＣＰＵ１７１は、センサ７１１（背面センサ）が突起７２０ａを検出することにより、操作部７００が画像形成装置の背面位置に回動していると判断する。なお、センサ７１０，７１２、突起７２０ａはそれぞれある幅を有しているので、操作部７００はある角度の範囲をもって正面位置或いは背面位置に回動していることが判断される。
【００６５】
図６は、操作部７００の液晶表示部及びキー入力部を示す外観図であり、（ａ）はタッチパネル付き液晶表示部にコピー画面が表示されている状態、（ｂ）はタッチパネル付き液晶表示部に送信／ファックス画面が表示されている状態を示す。図７は、タッチパネル付き液晶表示部に初期画面設定画面が表示された操作部の一例を示す図である。
【００６６】
操作部７００は、上述したように、タッチパネル付き液晶表示部７０１と、キー入力部７０２とに分けられる。タッチパネル付き液晶表示部７０１は、操作者による処理実行内容の入力を受け付けたり、操作者に対して処理に関する情報の表示や警告等の通知を行う。キー入力部７０２は、操作者による処理実行内容の入力を受け付ける。キー入力結果は、タッチパネル付き液晶表示部７０１に表示される。
【００６７】
スタートキー７０３は、操作者による処理実行の開始指示を受け付ける。ストップキー７０４は、スタートキー７０３で操作者により実行が指示された処理の中止指示を受け付ける。リセットキー７０５は、タッチパネル付き液晶表示部７０１及び／又はキー入力部７０２で入力された処理実行内容をクリアし、入力内容及び表示内容を初期状態に戻す指示を受け付ける。
【００６８】
画像形成装置は、コピーやファックス送信等の各種処理（ファンクション）用の初期画面を複数有している。１つは、図６（ａ）に示すコピー画面７０１ａであり、コピー処理用の表示及び入力が行われる。他の１つは、図６（ｂ）に示す送信／ファックス画面７０１ｂであり、ファックス送信処理用の表示及び入力が行われる。そして、操作者は、画像形成装置で実行可能な各種処理用の複数の初期画面の中から操作部７００に表示させる画面を選択して設定可能である。
【００６９】
各種処理用の表示及び入力とは、タッチパネル付き液晶表示部７０１の表示や入力のみならず、例えば、コピー画面７０１ａの表示状態でキー入力部７０２からキー入力されたときに、該入力値をコピー枚数として反映させて動作することを意味する。また、送信／ファックス画面７０１ｂが表示された状態でキー入力部７０２からキー入力されたときに、該入力値をファックス送信電話番号として反映させて動作することを意味する。
【００７０】
また、画像形成装置では、図７に示す初期画面設定画面７０１ｃにおいて、タッチパネル付き液晶表示部７０１に表示する画面を操作部７００の回動位置に対応させて予め個別に設定することが可能である。なお、画像形成装置の出荷時には、操作部７００の回動位置に拘わらず、初期画面としてコピー画面が設定されているが、装置の詳細設定を行う不図示のユーザーモードを利用して、操作者が初期画面設定画面にて任意の初期画面に設定変更することが可能である。初期画面設定画面で設定された初期画面は、バックアップ保存され、電源がＯＦＦされた後も保持される。
【００７１】
次に、初期画面の設定方法の一例として、操作部７００が装置正面又は装置背面を向いたときに表示する初期画面としてコピー画面に設定された後、当該コピー画面上で個別に動作設定が行われた場合について説明する。
【００７２】
図８（ａ）〜図８（ｃ）は、操作部７００が装置の正面位置に回動したときに該操作部７００に表示する初期画面の設定方法の一例を示す図である。図９（ａ）〜図９（ｃ）は、操作部７００が装置の背面位置に回動したときに該操作部７００に表示する初期画面の設定方法の一例を示す図である。
【００７３】
まず、操作者が不図示のユーザーモードを起動して、図７に示す初期画面設定画面７０１ｃを表示させ、装置の正面位置及び背面位置で操作部７００のタッチパネル付き液晶表示部７０１に表示される初期画面を選択する。ここでは、「正面位置」及び「背面位置」表示の右側に配置された「コピー画面」がそれぞれ選択されたものとする。そして、「次へ」が選択されると、図８（ａ）に示す正面位置の初期画面設定画面７０１ｄに遷移し、通常のコピー画面で行われる操作で任意の処理設定が可能である。
【００７４】
例えば、記録紙の表裏のそれぞれに画像形成を行うか否かに関する両面設定を「片面」から「片面→両面」に変更する場合、「両画」が選択されて図８（ｂ）に示す両面設定選択画面７０１ｅに遷移する。そして、「片面→両面」が選択された後に「ＯＫ」が選択され、図８（ｃ）に示す正面位置の初期画面設定画面７０１ｆに戻る。ここで、「設定終了次位置設定へ」が選択されると、正面位置の初期画面設定画面７０１ｆを終了し、図９（ａ）に示す背面位置の初期画面設定画面７０１ｇに遷移する。
【００７５】
例えば、カラーモード設定を「白黒」から「フルカラー」に変更する場合、「カラーモード設定」７１２が選択され、図９（ｂ）に示すカラーモード設定画面７０１ｈに遷移する。そして、「フルカラー」が選択された後、図９（ｃ）に示す背面位置の初期画面設定画面７０１ｉに戻る。ここで、「設定終了」が選択されると、背面位置の初期画面設定を終了する。
【００７６】
上述した初期画面の設定操作により、初期画面設定画面７０１ｆ上の表示部分７１３が正面位置の初期画面として設定され、また、初期画面設定画面７０１ｉ上の表示部分７１３が背面位置の初期画面として設定される。
【００７７】
なお、両面設定、カラーモード設定を変更した場合について例示したが、通常のコピー画面上で行われる設定変更操作と同様の操作で、任意の処理設定の変更が可能である。また、初期画面の設定を変更しない場合には、初期画面設定画面７０１ｄ又は初期画面設定画面７０１ｇにおいて、「設定終了次位置設定へ」又は「設定終了」を選択する。また、初期画面設定画面７０１ｃにて、「送信／ファックス」が選択された場合も、通常の送信／ファックス画面上で行われる設定変更操作と同様の操作で、任意の処理設定の変更が可能である。
【００７８】
次に、操作部７００の表示及び入力制御処理の流れについて図１０及び図１１のフローチャートを用いて説明する。
【００７９】
図１０及び図１１は、操作部７００の表示及び入力制御処理の流れを示すフローチャートである。この入力制御処理は、ＣＰＵ１７１がＲＯＭ１７４に格納されたプログラムを読み出して実行することにより実現されるものである。
【００８０】
図１０において、画像形成装置は電源が投入されると、ＣＰＵ１７１は、センサ７１０及びセンサ７１１の検出結果により操作部７００の回動位置が当該装置の正面位置にあるか背面位置にあるかを判断する（ステップＳ８０１，Ｓ８０２）。
【００８１】
ＣＰＵ１７１は、操作部７００の回動位置が装置の正面位置及び背面位置のいずれでもない場合は、誤った表示や入力を防止するために、操作部７００上のタッチパネル付き液晶表示部７０１を消灯する（ステップＳ８０３）。そして、ＣＰＵ１７１は、タッチパネル付き液晶表示部７０１及びキー入力部７０２からの操作入力を禁止して（ステップＳ８０４）、正面センサ７１０、背面センサ７１１による検出待ち状態に移行する。
【００８２】
一方、正面センサ７１０が支持部材７２０上の突起７２０ａを検出した（ＯＮ）ときは（ステップＳ８０１でＹＥＳ）、ＣＰＵ１７１は、操作部７００の回動位置が装置の正面位置にあると判断する。そして、ＣＰＵ１７１は、予め設定された正面位置の初期画面設定に応じて、コピー画面又は送信／ファックス画面をタッチパネル付き液晶表示部７０１に表示する（ステップＳ８０５〜Ｓ８０７）。そして、ＣＰＵ１７１は、操作者による処理実行内容の入力待ちの状態となる。正面位置の初期画面設定については、上述した初期画面の設定方法による。
【００８３】
次に、タッチパネル付き液晶表示部７０１及びキー入力部７０２により処理実行内容の入力があれば、ＣＰＵ１７１は、その入力内容に応じて画面表示を更新する（ステップＳ８０８，Ｓ８０９）。
【００８４】
ここで、キー入力部７０２上のリセットキー７０５が押下（ＯＮ）された場合は（ステップＳ８１０でＹＥＳ）、ＣＰＵ１７１は、タッチパネル付き液晶表示部７０１及びキー入力部７０２で入力された処理実行内容をクリアする。そして、ＣＰＵ１７１は、入力内容及び表示内容が初期状態となるように、ステップＳ８０５に戻ってタッチパネル付き液晶表示部７０１に初期画面を表示する。
【００８５】
次に、操作者により操作部７００が回動され、正面センサ７１０が支持部材７２０上の突起７２０ａを検出できなくなった（ＯＦＦ）ときは（ステップＳ８１１でＹＥＳ）、ＣＰＵ１７１は操作部７００の回動位置が当該装置の正面位置にないと判断する。
【００８６】
ステップＳ８０３では、ＣＰＵ１７１は、上述したように、誤った表示及び入力を防止するために、タッチパネル付き液晶表示部７０１を消灯する。そして、ＣＰＵ１７１は、タッチパネル付き液晶表示部７０１及びキー入力部７０２による操作入力を禁止し（ステップＳ８０４）、正面センサ７１０、背面センサ７１１による検出待ちの状態となる。
【００８７】
次に、ステップＳ８１２において、キー入力部７０２上のスタートキー７０３が押下（ＯＮ）された場合は（ステップＳ８１２でＹＥＳ）、ＣＰＵ１７１は、入力された処理実行内容に応じて処理を実行する（ステップＳ８１３）。そして、当該処理が完了した後、ステップＳ８０８に戻り、ＣＰＵ１７１は、操作者による処理実行内容の入力待ちの状態となる。
【００８８】
正面センサ７１０が支持部材７２０上の突起７２０ａを検出せず、背面センサ７１１が突起７２０ａを検出した（ＯＮ）ときは（ステップＳ８０２でＹＥＳ）、ＣＰＵ１７１は、操作部７００の回動位置が装置の背面位置にあると判断する。そして、ＣＰＵ１７１は、予め設定された背面位置の初期画面設定に応じて、コピー画面又は送信／ファックス画面をタッチパネル付き液晶表示部７０１に表示する（ステップＳ８１４〜Ｓ８１６）。そして、ＣＰＵ１７１は、操作者による処理実行内容の入力待ちの状態となる。背面位置の初期画面設定については、上述した初期画面の設定方法による。
【００８９】
次に、ＣＰＵ１７１は、タッチパネル付き液晶表示部７０１及びキー入力部７０２により処理実行内容の入力があれば、その入力内容に応じて画面表示を更新する（ステップＳ８１７，Ｓ８１８）。
【００９０】
ここで、キー入力部７０２上のリセットキー７０５が押下（ＯＮ）された場合は（ステップＳ８１９でＹＥＳ）、ＣＰＵ１７１は、タッチパネル付き液晶表示部７０１及びキー入力部７０２で入力された処理実行内容をクリアする。そして、ＣＰＵ１７１は、入力内容及び表示内容が初期状態となるように、ステップＳ８１４に戻ってタッチパネル付き液晶表示部７０１に初期画面を表示する。
【００９１】
次に、ステップＳ８２０において、操作者により操作部７００が回動され、背面センサ７１１が支持部材７２０上の突起７２０ａを検出できなくなった（ＯＦＦ）ときは（ステップＳ８２０でＹＥＳ）、図１０のステップＳ８０３へ進む。
【００９２】
一方、キー入力部７０２上のスタートキー７０３が押下（ＯＮ）された場合は（ステップＳ８２１でＹＥＳ）、ＣＰＵ１７１は、入力された処理実行内容に応じて処理を実行する（ステップＳ８２２）。そして、当該処理が完了した後、ステップＳ８２０に戻り、ＣＰＵ１７１は、操作者による処理実行内容の入力待ちの状態となる。
【００９３】
ステップＳ８１１において、操作者により操作部７００が回動され、背面センサ７１１により操作部７００の回動位置が背面位置に回動したことを検出した場合、正面位置（第一の回動位置）で操作部７００に操作入力された処理実行内容をクリアする。つまり、ＣＰＵ１７１は、操作部７００に他の回動位置（ここでは背面位置）に回動する以前に表示されていた画面における入力をクリアする。そして、初期画面設定画面上で予め設定された、背面位置（第二の回動位置）に対応する画面を操作部７００に表示させるようにしてもよい。
【００９４】
また、ステップＳ８２０において、操作者により操作部７００が回動され、正面センサ７１０により操作部７００の回動位置が正面位置に回動したことを検出した場合、背面位置（第一の回動位置）で操作部７００に操作入力された処理実行内容をクリアする。つまり、ＣＰＵ１７１は、操作部７００に他の回動位置（ここでは正面位置）に回動する以前に表示されていた画面における入力をクリアする。そして、初期画面設定画面上で予め設定された、正面位置（第二の回動位置）に対応する画面を操作部７００に表示させるようにしてもよい。
【００９５】
上記実施の形態によれば、画像形成装置は、当該装置から伸びたアーム上に配置され、支持部材７２０を中心として略水平方向に回動可能に構成された操作部７００と、当該操作部７００の回動位置を検出可能なセンサ７１０，７１１とを備える。そして、センサ７１０，７１１により検出された操作部７００の回動位置に応じて、初期画面設定画面上で予め設定された画面を操作部７００上に表示する。これにより、画像形成装置のオフィス等における設置性（設置環境の自由度）を向上させると共に、操作性をも向上させることができる。
【００９６】
上記実施の形態では、操作部７００が回動され、正面センサ７１０が突起７２０ａを検出できなくなったとき、操作入力を禁止したが、背面センサ７１１が突起７２０ａを検出するまでは、正面位置での操作入力や表示を継続するようにしてもよい。同様に、操作部７００が回動され、背面センサ７１１が突起７２０ａを検出できなくなったときも、正面センサ７１０が突起７２０ａを検出するまで背面位置での操作入力や表示を継続するようにしてもよい。
【００９７】
上記実施の形態では、センサ７１０，７１１により検出される操作部７００の回動位置として正面位置及び背面位置を例示したが、これに限定されず、例えば、装置の右側面位置や左側面位置であってもよい。また、検出される操作部７００の回動位置が２箇所だけでなく、より多く設定されていても、上記と同様の方法により同様の効果が得られる。
【００９８】
また、上記実施の形態では、操作部７００をカラーリーダ部１の側面から伸びたＬ字形のアーム上に配置し、回動軸Ａを中心に画像形成装置の略水平方向に回動自在に構成したものについて説明した。しかしながら、操作部７００を支持する支持部の形態はこれに限定されず、例えば、操作部７００を自動原稿給紙装置１０２の上方に伸びた支持部上に配置し、当該支持部を中心として回動自在に構成しても、同様の効果が得られる。
【図面の簡単な説明】
【００９９】
【図１】本発明の実施形態に係る画像形成装置の概略構成を示す縦断面図である。
【図２】画像形成装置内の制御部１００の概略構成を示すブロック図である。
【図３】制御部１００内の画像メモリ部３００の概略構成を示すブロック図である。
【図４】制御部１００内の外部Ｉ／Ｆ処理部４００の概略構成を示すブロック図である。
【図５】（ａ）は画像形成装置の操作部７００周辺の外観図、（ｂ）は操作部７００内の回動軸周辺の概略構成図である。
【図６】操作部７００を正面からみた外観図であり、（ａ）はタッチパネル付き液晶表示部にコピー画面が表示されている状態、（ｂ）はタッチパネル付き液晶表示部に送信／ファックス画面が表示されている状態を示す。
【図７】タッチパネル付き液晶表示部に初期画面設定画面が表示された操作部の一例を示す図である。
【図８】（ａ）〜（ｃ）は操作部７００が装置の正面位置に回動したときに該操作部７００に表示する初期画面の設定方法の一例を示す図である。
【図９】（ａ）〜（ｃ）は操作部７００が装置の背面位置に回動したときに該表示部７００に表示する初期画面の設定方法の一例を示す図である。
【図１０】操作部７００の表示及び入力制御処理の流れを示すフローチャートである（その１）。
【図１１】操作部７００の表示及び入力制御処理の流れを示すフローチャートである（その２）。
【符号の説明】
【０１００】
１  カラーリーダ部
２  カラープリンタ部
１００  制御部
１０２  自動原稿給紙装置（ＡＤＦ）
７００  操作部
７０１  タッチパネル付き液晶表示部
７０２  キー入力部
７１０，７１１  センサ
【図１】
0005078459.tif 000002
【図２】
0005078459.tif 000003
【図３】
0005078459.tif 000004
【図４】
0005078459.tif 000005
【図５】
0005078459.tif 000006
【図６】
0005078459.tif 000007
【図７】
0005078459.tif 000008
【図８】
0005078459.tif 000009
【図９】
0005078459.tif 000010
【図１０】
0005078459.tif 000011
【図１１】
0005078459.tif 000012